(57)【要約】  第一（５）及び第二（５）ガラス板を互いに一定の距離に保持する少なくとも一つのスペーサー（８）によって一緒に接合された第一（５）及び第二（５）ガラス板を含み、さらに前記ガラス板（５）間に、少なくとも一つの第一中空部（４）を含む内部空間（４）を含む板ガラスパネルであって、内部空間（４）には１ｍｂａｒ未満の真空が支配し、内部空間（４）が、前記内部空間（４）の周りのガラス板の周囲上に配置された周囲シールによって閉じられ、シール（１）が、第一及び第二ガラス板（５）のそれぞれに固定された金属シールであるものにおいて、金属シール（１）がパネルの外側と内部空間を連結するための手段（１１）をさらに含み、前記連結手段が封止可能であることを特徴とする。【選択図】  図２
2014531388.tif 000002
【特許請求の範囲】
【請求項１】
第一（５）及び第二（５）ガラス板を互いに一定の距離に保持する少なくとも一つのスペーサー（８）によって一緒に接合された第一（５）及び第二（５）ガラス板を含み、さらに前記ガラス板（５）間に、少なくとも一つの第一中空部（４）を含む内部空間（４）を含む板ガラスパネルであって、内部空間（４）には１ｍｂａｒ未満の真空が支配し、内部空間（４）が、前記内部空間（４）の周りのガラス板の周囲上に配置された周囲シールによって閉じられ、シール（１）が、第一及び第二ガラス板（５）のそれぞれに固定された金属シールであるものにおいて、
金属シール（１）がパネルの外側と内部空間を連結するための手段（１１）をさらに含み、前記連結手段が封止可能であることを特徴とする板ガラスパネル。
【請求項２】
連結手段が少なくとも一つの中空金属管（１１）を含み、その第一端（１１１）が内部空間（４）と連結し、その第二端（１１２）がユニットの外側と連結し、第二端（１１２）が管を封止するための手段を含むことを特徴とする請求項１に記載の板ガラスパネル。
【請求項３】
管を封止するための手段が、管の第二端（１１２）を挟むことによって形成された栓を含むことを特徴とする請求項２に記載の板ガラスパネル。
【請求項４】
金属管（１１）が、非酸化状態の、銅及びその合金、アルミニウム及びその合金、ニッケル及びその合金から選ばれた少なくとも一種の材料からなることを特徴とする請求項１〜３のいずれか一つに記載の板ガラスパネル。
【請求項５】
ユニットの内部空間がさらに、金属シール（１）とユニットの縁（９）の間に配置された第二中空部（４２）を含み、第二中空部（４２）が金属シール（１１）によって閉じられていることを特徴とする請求項１〜３のいずれか一つに記載の板ガラスパネル。
【請求項６】
金属管（１１）の第一端が第二中空部（４２）内に含まれていることを特徴とする請求項２〜４のいずれか一つに記載の板ガラスパネル。
【請求項７】
金属シール（１）が、溶接によって、第一接着性被覆（５３）で覆われた第一ガラス板の第一周囲領域に、及び第二接着性被覆（５３）で覆われた第二ガラス板の第二周囲領域に固定されていることを特徴とする請求項１〜６のいずれか一つに記載の板ガラスパネル。
【請求項８】
金属シール（１）が、穴（１２）を開けられた金属ストリップを含み、その中に金属管（１１）が配置されることを特徴とする請求項２〜７のいずれか一つに記載の板ガラスパネル。
【請求項９】
金属管（１１）が溶接によって金属ストリップに固定されていることを特徴とする請求項１〜８のいずれか一つに記載の板ガラスパネル。
【請求項１０】
真空板ガラスユニットを製造するための方法であって、以下の工程：
−  第一（５）及び第二（５）ガラス板を少なくとも一つのスペーサー（８）によって一緒に接合すること（３０１）、但しスペーサーはそれらのガラス板を互いに一定の距離に保持し、前記ガラス板（５）間の内部空間（４）が第一中空部（４１）を含む；
−  前記内部空間（４）の周りのガラス板の周囲に配置された周囲シール（１）によって内部空間（４）を閉じること（３０２）、但しシールは、第一及び第二ガラス板のそれぞれに固定された金属シールである；
−  １ｍｂａｒ未満の真空を得るために内部空間（４）を真空下に置くこと（３０３）；
を含む方法において、
金属シール（１）が、ユニットの外側と内部空間（４）を連結するための手段（１１）をさらに含み、前記連結手段が封止可能であることを特徴とする方法。
【請求項１１】
連結手段が少なくとも一つの中空金属管（１１）を含み、その第一端（１１１）が内部空間と連結し、その第二端（１１２）がユニットの外側と連結すること、及び方法が、いったん真空下に置く工程が完了したら管（１１）の第二端（１１２）を封止すること（３０４）をさらに含むことを特徴とする請求項１０に記載の方法。
【請求項１２】
封止工程が、管（１１）の第二端（１１２）を挟むことによって実行されることを特徴とする請求項１１に記載の方法。
【請求項１３】
金属シール（１）が、溶接によって、第一接着性被覆（５３）で覆われた第一ガラス板の第一周囲領域に、及び第二接着性被覆（５３）で覆われた第二ガラス板の第二周囲領域に固定されることを特徴とする請求項１０〜１２のいずれか一つに記載の方法。
【請求項１４】
金属シールが金属ストリップからなること、及び方法が穴（１２）を形成するためにストリップに穴を開ける工程、及び金属管（１１）を穴（１２）中に挿入する工程を含むことを特徴とする請求項１１〜１３のいずれか一つに記載の方法。
【請求項１５】
金属管（１１）が溶接によって金属ストリップに固定されることを特徴とする請求項１４に記載の方法。
【発明の詳細な説明】
【技術分野】
【０００１】
本発明の分野は、真空が作られる少なくとも一つの内部空間を画定するガラス板を含む板ガラスパネル（真空板ガラスユニットとも呼ばれる）の分野である。
【０００２】
より詳細には、本発明は、かかるパネル内での真空の作成に関する。
【０００３】
これらのパネルは、多目的板ガラスユニット（家具、仕切り‐‐‐）、車または建物のための板ガラスユニットのようなあらゆる種類の用途で使用されることができる。
【背景技術】
【０００４】
真空板ガラスユニット、または真空断熱板ガラスは、典型的には内部空間によって分離された少なくとも二枚のガラス板から構成され、この内部空間内に真空が作られている。かかる板ガラスユニットは、従来から真空によるその高い断熱性のために使用される。真空空間の厚さは、典型的には８０μｍ〜８００μｍである。
【０００５】
高い断熱性能割合（表面熱移動係数Ｕ＜０．６Ｗ／ｍ２Ｋ）を達成するために、板ガラスユニット内の圧力は、一般的に１０−３ｍｂａｒ以下のオーダーでなければならず、一般的に二枚のガラス板の少なくとも一枚は、理想的には０．０５未満の輻射率を持つ低輻射率層で被覆される。板ガラスユニット内にかかる圧力を得るために、二枚のガラス板の周囲上にシールが置かれ、真空がポンプによって板ガラスユニット内に作られる。（板ガラスユニットの内側と外側の間の圧力差のために）板ガラスユニットが大気圧下でつぶれるのを防ぐために、スペーサーが二枚のガラス板間に（例えばマトリックスの形で）規則的な間隔で置かれる。
【０００６】
スペーサーは、一般的に円筒状または球状であり、かつピラーと呼ばれる。今日では、これらのスペーサーは一般的に金属から作られ、従って板ガラスユニット内に熱損失を作る。０．６Ｗ／ｍ２Ｋ未満の熱移動係数Ｕを維持するために、ガラスと接触状態のスペーサーの全表面積は、真空板ガラスユニットの表面積の１％未満でなければならない。
【０００７】
様々なシール技術が存在し、それぞれが一定の欠点を持つ。第一タイプのシール（最も普及しているもの）は、板ガラスユニットのガラスパネルのガラスの融点より低い融点を持つはんだ付けガラスに基づいたシールである。このタイプのシールの使用は、低輻射率層の選択をはんだ付けガラスの使用のために必要な熱サイクルによって損なわれないものに限定し、すなわち３５０℃もの高い温度に耐えることができるものに限定する。さらに、はんだ付けガラスに基づいたこのタイプのシールは極めて小さい変形性しか持たないので、これらが大きな温度差（例えば４０℃）にさらされるときに内部側の板ガラスのガラスパネルと外部側の板ガラスのガラスパネルの間の膨張差の影響を吸収できない。そのとき極めて有意な応力が板ガラスユニットの周囲に発生され、板ガラスユニットのガラスパネルの破壊を起こしうる。
【０００８】
第二タイプのシールは、金属シール、例えばスズ合金の柔らかいはんだタイプのはんだ付け可能材料の層によって少なくとも部分的に覆われた結合下層によって板ガラスユニットの周囲の周りに溶接された薄い厚さ（＜５００μｍ）の金属ストリップを含む。第一タイプのシールと比べたこの第二タイプのシールの有意な利点は、二枚のガラスパネル間に作られた膨張差を吸収するために変形されることができることである。ガラスパネル上に結合するための様々なタイプの下層がある。
【０００９】
特許出願ＷＯ２０１１／０６１２０８Ａ１は、真空板ガラスのための第二タイプの周囲シールの一実施態様を提案する。この実施態様によれば、シールは、例えば銅の金属ストリップであり、それは、はんだ付け可能な材料によってガラス板の周囲上に設けられた接着帯上に溶接される。
【００１０】
ガラスユニットの内部空間内の真空の形成に関して、内部空間を外側に連結する中空ガラス管が、一般的にガラス板のうちの一枚の主面上に設けられる。従って、真空は、ガラス管の外端に連結されたポンプによって内部空間中に存在するガスをポンプ輸送することによって内部空間内に作られる。特許出願ＥＰ１５０６９４５Ａ１号は、かかるガラス管の使用を記載し、それは、ガラス板のうちの一枚の主面内に設けられた貫通穴内の所定位置に溶接される。
【００１１】
しかし、ガラス板のうちの一枚の主面に穴を与えて、次いでガラス管をそこに挿入することを可能にすることは、ガラス板の穴の周りに有意な応力を発生し、それがガラス板を弱める。
【００１２】
加えて、このガラス管は、真空板ガラスユニットの弱点を構成し、従ってそれは衝撃から保護されることを必要とする。
【００１３】
さらに、このガラス管は、ガラス板のうちの一枚の表面上に隆起を構成し、それは美的に容認できず、従って隠されることが必要である。
【発明の概要】
【発明が解決しようとする課題】
【００１４】
本発明の目的は、特に従来技術のこれらの欠点を改善することである。
【００１５】
より詳細には、本発明の目的は、その実施態様の少なくとも一つにおいて、パネルのガラス板内に発生する応力が従来技術より少ない、真空板ガラスユニットの内部空間内に真空が作られることを可能にする技術を提供することである。
【００１６】
本発明の別の目的は、その実施態様の少なくとも一つにおいて、真空板ガラスユニットをあまり弱化しないような技術を提供することである。
【００１７】
本発明の別の目的は、その実施態様の少なくとも一つにおいて、パネルの美的外観を従来技術よりあまり損なわないような技術を提供することである。
【００１８】
本発明の別の目的は、その実施態様の少なくとも一つにおいて、実施することが容易であるような技術を提供することである。
【００１９】
本発明のさらなる目的は、その実施態様の少なくとも一つにおいて、費用のかからないような技術を提供することである。
【課題を解決するための手段】
【００２０】
特別な実施態様によれば、本発明は、第一及び第二のガラス板を互いに一定の距離に保持する少なくとも一つのスペーサーによって一緒に接合された第一及び第二のガラス板、及び前記ガラス板間に、少なくとも一つの第一中空部を含む内部空間を含む板ガラスユニットであって、内部空間には１ｍｂａｒ未満の真空が支配し、内部空間が、前記内部空間の周りのガラス板の周囲上に配置された周囲シールにより閉じられ、シールが、第一及び第二のガラス板に固定された金属シールである、ガラスユニットに関する。
【００２１】
本発明によれば、金属シールはパネルの外側と内部空間を連結するための手段をさらに含み、前記連結手段は封止可能である。
【００２２】
第一及び第二ガラス板の役割は、もちろん、以下の全てにおいて置き換え可能である。
【００２３】
ガラスは、もちろん、全てのタイプのガラス及び鉱物ガラス及び有機ガラスのような等価な透明材料を意味すると理解される。鉱物ガラスは、ソーダ石灰ガラス、ホウ素ガラス、結晶及び半結晶ガラスとして知られている一種以上のタイプのガラスから同様に形成されることができる。有機ガラスは、例えばポリカーボネート合成樹脂、透明なポリエステルまたはポリビニルのような透明な熱硬化性または硬い熱可塑性ポリマーまたはコポリマーであることができる。
【００２４】
従って、パネルの外側と内部空間を封止可能な態様で連結するための手段は、ガラス板のうちの一枚の主面内に形成された穴に従来設けられているガラス管を使用することを必要とすることなく内部空間内に真空が作られることを可能にする。従って、この技術は、板ガラスユニットのガラス板内に発生する応力を従来技術より少なくする。
【００２５】
さらに、ガラス板のうちの一枚の上に隆起を形成するガラス管を必要としないので、この技術は、真空板ガラスユニットをあまり弱化せず、ユニットの美的外観をあまり損なわない。
【００２６】
有利には、連結手段は少なくとも一つの中空金属管を含み、その第一端は内部空間と連結し、その第二端はユニットの外側と連結し、第二端は管を封止するための手段を含む。
【００２７】
本発明によれば、連結手段はまた、シール内に作られた開口を含むことができ、この開口はいかなる好適な手段によっても封止されることができる。
【００２８】
本発明の有利な特徴によれば、管を封止するための手段は、管の第二端を挟むことによって形成された栓を含む。
【００２９】
実際、挟む作用の結果として物理的接触状態にある管の内側表面部分は、表面上のそれらの原子層のレベルでそれらの間に原子結合を発生し、従ってそれらは冷間溶接を形成し、それは非常に強くかつ熱またははんだ付けの使用を必要としない。もちろん、本発明によれば、いかなる他の封止技術及びいかなる他の種類の栓も、例えば金属ねじ栓が、力によって挿入されるようにまたは管の端部上に溶接されるように使用されることができる。
【００３０】
有利には、金属シールは、非酸化状態の、銅及びその合金、アルミニウム及びその合金、ニッケル及びその合金から選ばれた少なくとも一つの材料からなる。
【００３１】
有利には、金属管は、非酸化状態の、銅及びその合金、アルミニウム及びその合金、ニッケル及びその合金から選ばれた少なくとも一つの材料からなる。
【００３２】
実際、挟む作用の結果として物理的接触状態にある管の内側表面部分は酸化されないので、それらはさらに多くの原子結合を発生し、これは冷間溶接の強度を強化する。
【００３３】
有利には、管の内側表面は、まずこの表面上のいかなる汚染物（それは結合形成、従って溶接の強度を低下するだろう）の存在も減少するために（例えば超音波によって）浄化される。例えば、内部表面は、いかなる酸化物結晶も除去するために、研摩布（粒度３２０）で研摩される。
【００３４】
本発明の有利な特徴によれば、ユニットの内部空間は、金属シールとユニットの縁の間に配置された第二中空部を含み、第二中空部は金属シールによって閉じられている。
【００３５】
有利には、金属管の第一端は第二中空部内に含まれる。
【００３６】
実際、二枚のガラス板間の間隔が金属管の外部直径より小さい場合には、金属管の第一端は、ガラス板間の内部空間の第一中空部中に挿入されることができないが、金属シールとユニットの縁の間の内部空間の第二中空部中に挿入されることができる。
【００３７】
有利には、金属シールは、溶接によって、第一接着性被覆で覆われた第一ガラス板の第一周囲領域に、及び第二接着性被覆で覆われた第二ガラス板の第二周囲領域に固定される。
【００３８】
本発明の有利な特徴によれば、金属シールは、穴を開けられた金属ストリップからなり、その中に金属管が配置される。
【００３９】
有利には、金属管は溶接によって金属ストリップに固定される。
【００４０】
本発明はまた、真空板ガラスユニットを製造するための方法に関し、それは以下の工程を含む：
−  第一及び第二ガラス板を少なくとも一つのスペーサーによって一緒に接合すること、但しスペーサーはそれらのガラス板を互いに一定の距離に保持し、前記ガラス板間の内部空間が第一中空部を形成する；
−  前記内部空間の周りのガラス板の周囲に配置された周囲シールによって内部空間を閉じること、但しシールは、第一及び第二ガラス板のそれぞれに固定された金属シールである；
−  １ｍｂａｒ未満の真空を得るために内部空間を真空下に置くこと。
【００４１】
本発明によれば、金属シールは、ユニットの外側と内部空間を連結するための手段をさらに含み、前記連結手段は封止可能である。
【００４２】
有利には、連結手段は少なくとも一つの中空金属管を含み、その第一端は内部空間と連結し、その第二端はユニットの外側と連結し、この方法は、いったん真空下に置く工程が完了したら管の第二端を封止することをさらに含む。
【００４３】
本発明の有利な特徴によれば、封止工程は、管の第二端を挟むことによって実行される。
【００４４】
有利には、金属シールは、溶接によって、第一接着性被覆で覆われた第一ガラス板の第一周囲領域に、及び第二接着性被覆で覆われた第二ガラス板の第二周囲領域に固定される。
【００４５】
有利には、金属シールは金属ストリップからなり、この方法は、穴を形成するためにストリップに穴を開ける工程、及び金属管を穴中に挿入する工程を含む。
【００４６】
本発明の有利な特徴によれば、金属管は、溶接によって金属ストリップに固定される。
【図面の簡単な説明】
【００４７】
本発明の他の特徴及び利点は、非限定的例及び添付図面によって与えられた好適な実施態様の以下の説明を読むとより明らかとなるだろう。
【００４８】
【図１】図１は、本発明の一実施態様による真空板ガラスユニットの図である。
【００４９】
【図２】図２は、本発明の一実施態様による図１のユニットの周囲シールを示す。
【００５０】
【図３】図３は、本発明の一実施態様による板ガラスユニットを製造するための方法を示す。
【発明を実施するための形態】
【００５１】
本発明は、特別な実施態様に関してかつ特定の図面に関して説明されるが、本発明は、これによって限定されず、請求項によってのみ限定される。特定の要素のサイズ及び相対寸法は、図面中に誇張されているかもしれず、説明のため縮尺通りに描かれないかもしれない。
【００５２】
さらに、明細書及び請求項中の第一、第二、第三などの用語は、同様な要素間を区別するために使用され、時間、空間的な順序を必ずしも説明するためではなくまたは分類の目的または他の目的のためではない。このように使用された用語は、適切な条件で置き替えることができ、ここに述べた本発明の実施態様は、ここに述べられまたは示されたもの以外の順序で機能することができることは理解されるべきである。
【００５３】
さらに、明細書及び請求項中の高い、低い、上、下などの用語は、説明のために使用され、必ずしも相対的位置を説明するためではない。このように使用された用語は、適切な条件で置き替えることができ、ここに述べた本発明の実施態様は、ここに述べられまたは示されたもの以外の順序で機能することができることは理解されるべきである。
【００５４】
請求項で使用された用語「含む」は、その対象として掲げられた要素に限定されるものとして解釈されるべきではなく、他の要素または工程を排除しない。従って、それは、特定された要素、エンティティ、工程または参照された構成要素の存在を特定するものとして解釈されるべきであるが、要素、エンティティ、工程または構成要素、またはそれらの群の存在または付加を排除しない。従って、「要素Ａ及びＢを含む装置」の表現の範囲は、要素ＡとＢのみからなる装置に限定されるべきでない。これは、本発明に関する限り、装置の重要な構成要素がＡ及びＢのみであることを意味する。
【００５５】
本明細書で使用される「シール（封止）」は、特記されない限り、雰囲気中に存在する空気または他のあらゆるガスに対するシール（封止）を意味すると理解される。
【００５６】
本明細書で使用される「断熱層」は、特記されない限り、０．２未満、好ましくは０．１未満、より好ましくは０．０５未満の輻射率を持つ金属酸化物層を意味すると理解される。断熱層は、次の層の一つであることができる。例えばＡＧＣによって供給されるＰｌａｎｉｂｅｌ  Ｇ，Ｐｌａｎｉｂｅｌ  Ｔｏｐ  Ｎ，Ｔｏｐ  Ｎ＋及びＴｏｐ  １．０。
【００５７】
本明細書で使用される用語「スペーサー」は、特記されない限り、二枚の隣接板ガラスユニット間に比較的一定の距離を確保する一つ以上の要素に関する。
【００５８】
以下の説明は、真空板ガラスユニットである本発明による板ガラスユニットの特別な場合に関係するだろう。当然、本発明はまた、もし真空が内部空間の少なくとも一つに作られるならば、それが断熱であろうとなかろうと内部空間を画定するガラス板（二枚、三枚またはそれより多く）を含むあらゆるタイプの板ガラスユニット（多重板ガラスユニットとも呼ばれる）にも関係する。
【００５９】
例えば、本発明はまた、真空が作られている第一内部空間、及び例えば乾燥空気、アルゴン（Ａｒ）、クリプトン（Ｋｒ）、キセノン（Ｘｅ）、六フッ化硫黄（ＳＦ６）、またはさらにこれらのガスの幾つかの混合物の特に限定されないガスのクッションを封入する第二内部空間を含む三重板ガラスユニットに適用される。
【００６０】
当然、他の変形も考えられ、特にユニットのガラス板の一つを積層ガラス板と置き替えるか、またはいずれかの他の追加または修正が考えられる。
【００６１】
図１に関して、これは、本発明の一実施態様による真空板ガラスユニットの全体図を示す。
【００６２】
真空板ガラスユニットは、少なくとも一つのスペーサー８によって一緒に接合された第一及び第二ガラス板５（例えば６ｍｍ厚の透明ソーダ石灰石英ガラス板）を含み、このスペーサーは、それらのガラス板を互いに一定の距離に保持する。従って、第一及び第二ガラス板５は、第一中空部４１を形成する第一内部空間４によって分離される。１ｍｂａｒ未満の真空度、例えば１０−３ｍｂａｒに等しい真空度（それは真空ポンプによって中空部中へのポンピングにより得られる）が内部空間４内には支配している。
【００６３】
例えば、内部空間の厚さは１ｍｍのオーダーである（もちろん、他のいかなる厚さの内部空間も使用されることができる）。
【００６４】
ポンピング操作を容易にするために、内部空間の表面は、まず１００℃より高い温度で内部空間の表面にオゾンの流束を付与することによりガスを排出されることができる。
【００６５】
いかなるタイプのガラス及びガラスの厚さも、もちろん使用されることができる。
【００６６】
真空板ガラスユニットはまた、本発明による複数のスペーサー８を含み、スペーサーは第一及び第二ガラス板５間に第一空間を維持するためにこれらのガラス板５間に挟まれる。
【００６７】
例えば、スペーサーは、２０〜８０ｍｍの範囲、好ましくは３０〜６０ｍｍの範囲のピッチを持つマトリックスを形成するために第一及び第二ガラス板間に配置される。
【００６８】
スペーサー８は、円筒状、球状、砂時計形状、十字形状‐‐‐のような様々な形状のものであることができる。
【００６９】
以下の説明は、スペーサー８がＡＩＳＩ３０１鋼から作られかつＣの形状で構成される本発明による例に関する。
【００７０】
オーステナイト鋼を造形する工程は、まず伸線により円筒状断面を持つワイヤを得る工程を含む。ワイヤを得る工程はまた、もちろん、前記ＡＩＳＩ３０１鋼の熱間押し出しによって、次いでワイヤの最終直径を得るための伸線によって達成されることができる。
【００７１】
例えば、伸線操作が実行される直径５ｍｍのワイヤから加工して、１ｍｍの直径を持つ微細ワイヤが得られる（それはワイヤの断面積の８０％減少を示す）。
【００７２】
オーステナイト鋼を造形する工程は、次いで前記スペーサーを形成するためにワイヤの少なくとも一部分を切断する工程（例えばワイヤカッターによる）を含む。ワイヤの前記部分の長さは例えば４ｍｍである。
【００７３】
有利な実施態様によれば、オーステナイト鋼を造形する工程は、次いで０．５ｍｍの最大曲率半径を持つループ部分を造形するためにワイヤの前記部分をその部分の少なくとも一つに渡って曲げる工程を含む。
【００７４】
曲げる工程は、もちろん切断工程の前に実行されることができる。
【００７５】
ワイヤのこの部分は、好ましくは０．５ｍｍの曲率半径を持つ円の部分である。
【００７６】
従って、この第二例では、冷間加工工程は伸線工程と組み合わされる。
【００７７】
従って、伸線操作時のワイヤの断面積の８０％減少は、６２０ＭＰａから約１４００ＭＰａへのＡＩＳＩステンレス鋼の強度の増加を起こす。
【００７８】
例えば、もし冷間加工されていない（従って６２０ＭＰａの圧縮強度を持つ）ＡＩＳＩスペーサーであって、２５０μｍの半径を持つ円板に等しい接触表面を持ち、これらの間に３０ｍｍの空間を持つスペーサーが使用されるなら、０．８Ｗ／（ｍ２Ｋ）に等しいＵ係数の値を持つ真空板ガラスユニットが得られる。
【００７９】
逆に、１４００ＭＰａの圧縮強度を持つ（冷間加工されたＡＩＳＩ３０１からＣ形状に作られた）本発明による前述のスペーサーを用いると、Ｕ値（それは約０．５Ｗ／（ｍ２Ｋ）となる）を改善しながら、スペーサーを５０ｍｍ離して配置することによってスペーサーの数を減らすことができる。
【００８０】
真空板ガラスユニットのＵ値は、低輻射率タイプの層を含む上述の板ガラスに基づいて評価される。熱貫流（Ｕ値）は、シドニー大学の刊行物：Ｄｅｔｅｒｍｉｎａｔｉｏｎ  ｏｆ  ｔｈｅ  Ｏｖｅｒａｌｌ  Ｈｅａｔ  Ｔｒａｎｓｍｉｓｓｉｏｎ  Ｃｏｅｆｆｉｃｉｅｎｔ（Ｕ−Ｖａｌｕｅ）ｏｆ  Ｖａｃｕｕｍ  Ｇｌａｚｉｎｇ，ＴＭ  Ｓｉｍｋｏ，ＡＨ  Ｅｌｍａｈｄｙ及びＲＥ  Ｃｏｌｌｉｎｓ，Ａｓｈｒａｅ  Ｔｒａｎｓａｃｔｉｏｎｓ，１０５，ｐｔ．２，ｐｐ１−９，１９９９に記載された方法を用いて評価される。
【００８１】
断熱性に関して性能割合をさらに改善するために、断熱層がガラス板５の少なくとも一枚の内側表面上に配置されることができる。
【００８２】
二枚のガラス板５は、第一中空部４１をタイトに閉じる内部空間４の周りのガラス板５の周囲に置かれた周囲シール１によって気密態様（真空を確保する）で組み立てられる。従って、周囲シール１は、（内部空間の外側に存在するガスに対して）封止態様で内部空間を閉じる。
【００８３】
シール１は、第一及び第二ガラス板５のそれぞれに固定された金属シール１である。
【００８４】
図２に関して、これは、本発明の一実施態様による図１のユニットの周囲シール１を示す。板ガラスユニットの断面の一部分のみが図２に示されている。
【００８５】
例えば、金属シール１は、溶接によって（例えばスズ系及び鉛系はんだ接合によって）、第一接着性被覆５３で覆われた第一ガラス板５の第一周囲領域に、及び第二接着性被覆５３で覆われた第二ガラス板５の第二周囲領域に固定される。
【００８６】
金属シール１は、ユニットの外側に内部空間４を連結するための手段１１を含み、この連結手段１１は封止可能である。例えば、この連結手段は中空金属管１１からなり（その外径は例えば４ｍｍであり、その内径は例えば２ｍｍである）、その第一端１１１は内部空間４と連結し、その第二端１１２はユニットの外側と連結し、その第二端は管を封止するための手段を含む。本発明の変形例によれば、連結手段は、当然、複数のかかる中空金属管（例えば二本の管、それらは、例えば真空下のユニットの配置、及びユニットの内部空間の表面の可能な脱気の使用を容易にすることができる）を含む。
【００８７】
例えば、金属シール１は、非酸化状態の銅のストリップを含む。金属ストリップは、穴１２を開けられ、その中に金属管１１が配置される。金属管１１は、溶接によって（例えばスズ系及び鉛系はんだ接合によって）金属ストリップに固定される。例えば、金属管は銅から作られる。それは、もちろん、いかなる他の金属または金属合金、または例えばニッケル（またはその合金の一つ）の、アルミニウム（またはその合金の一つ）の金属合金から作られることができる。
【００８８】
有利には、金属管１１はＯＦＨＣ（高伝導度無酸素）銅（用語Ｃｕ−ｃ２またはＣｕ−ＯＦＥによっても呼ばれる）から作られ、それは乾燥水素雰囲気で６５０°〜８５０℃の３０分間のアニール操作を受けなければならない。実際、この処理は、材料が挟み付け時に約３５０％の変形を受けるので有利である。管１１を形成するために使用されることができる別のタイプの材料は、高純度ニッケル、例えばニッケルＡ，ＮＩ１２７０，ＮＩ１２００、または標準規格ＡＳＴＭ−Ｂ１６１による９９．４％ニッケルである。例えば、管１１は、挟み付け前に１１５０℃で３０分間のアニール操作を受けることができる。最後に、アルミニウム、純鉄、金、白金、銀またはニオブのような他の材料であっても管１１を形成するために好適である。
【００８９】
ユニットの内部空間４はまた、金属シール１とユニットの縁９の間に配置された第二中空部４２を含み、第二中空部４２は金属シール１によって閉じられる。金属管の第一端は第二中空部４２内に含まれる。
【００９０】
例えば、管１１を封止するための手段は、管の第二端１１２を挟み付けることによって形成された栓を含む（もちろん、本発明によれば、いかなる他の封止技術及びいかなる他のタイプの栓が使用されることができ、例えば管の第二端１１２上に力によって挿入するための金属ねじ栓または溶接が使用されることができる）。管１１の第二端１１２の挟み付けを実施するために、例えば管１１の第二端上に高圧を及ぼす挟み付けツール、例えばＣ．Ｈ．Ｂｕｌｌ  Ｃｏにより名称「Ｐｉｎｃｈ−ｏｆｆ  ｔｏｏｌ  ｍａｎｕａｌ  ｓｅｒｉｅｓ（またはＧＳＴ  ｓｅｒｉｅｓまたはＨＡＣ  ｓｅｒｉｅｓ）の下に市販されている挟み付けツール、またはＣｕｓｔｏｍ  Ｐｒｏｄｕｃｔｓ  ＆  Ｓｅｒｖｉｃｅｓにより参照記号「Ｐｉｎｃｈ−ｏｆｆ  ｔｏｏｌ  ＨＹ−１８７（または管１１の直径に依存して、ＨＹ−２５０またはＨＹ−５００またはＨＹ−７５０）の下に市販されている挟み付けツールが使用されることができる。
【００９１】
従って、挟み付け作用の結果として物理的接触状態にある管１１の内側表面部分は、表面上のそれらの原子層のレベルでそれらの間に原子結合を発生し、従って、それは冷間溶接を形成し、それは非常に抵抗性であり、熱またははんだ付けの使用を必要としない。
【００９２】
管の銅が非酸化状態であるということは、挟み付け作用の結果として物理的接触状態にある管の内側表面部分が（酸化状態の銅と比べて）さらに多くの原子結合を発生し、これが冷間溶接の強度を強化することを意味する。
【００９３】
例えば、管の内側表面は、まずこの表面上のいかなる汚染物（それは結合形成、従って溶接の強度を低下するだろう）の存在も減少するために（例えば超音波によって）浄化される。例えば、内側表面は、いかなる酸化物結晶も除去するために、研摩布（粒度３２０）で研摩される。管の外側表面もまた、いかなる酸化物結晶も除去するために、従って上述の挟み付けツールの良好な操作性を確保するために、研摩布（粒度３２０）で研摩されることができる。
【００９４】
例えば、管１１が管１１の第二端１１２を挟み付けることによって閉じられた後、管１１の第二端１１２並びにユニットの外側に位置された管の外表面は、保護被覆、例えば金属合金によって覆われることができる。管１１の第二端１１２はまた、プラスチックキャップにより保護されることができる。
【００９５】
さらに、接着性被覆５３を形成する接着性材料は、銅とその合金（例えばチタン及び／またはクロムとの合金）、アルミニウムとその合金、鉄とその合金（Ｆｅ−Ｎｉオーステナイト鋼：例えば合金４８のような、鉄（５０〜５５重量％、例えば５２重量％）とニッケル（４５〜５０重量％、例えば４８重量％）の合金）、鉄（５３〜５５重量％、例えば５３．５重量％）、ニッケル（２８〜３０重量％、例えば２９重量％）及びコバルト（１６〜１８重量％、例えば１７重量％）を含む鉄合金、及びＫｏｖａｒ（登録商標）、白金とその合金、ニッケルとその合金、金とその合金、銀とその合金、ヒ化ガリウム、及びスズとその合金からなる群から選ばれることができる。このリストは網羅的ではない。
【００９６】
金属シール１は、もちろん、いかなる他の態様で形成されることができる。例えば、それは、特許出願ＷＯ２０１１／０６１２０８Ａ１に記載されたような工程形態であることができる。
【００９７】
例えば、それはまた、それら自体がガラス板に溶接されている二つの金属シール部分を溶接することにより接合することによって形成されることができる。さらに、シールを凹所に固定するためのいかなる他の技術も例えばはんだ付けガラスを用いてガラス上に直接はんだ付けすること（この場合には接着性被覆５３は必要でない）、または力により一緒に固定することによって、本発明の枠から逸脱することなく実施されることができる。
【００９８】
示されていない上述の実施態様の変形例によれば、板ガラスユニットはまた、もちろん、第二中空部を形成するために第一及び第二ガラス板のいずれか一つから（例えば第二ガラス板から）第二空間によって分離された第三ガラス板を含むことができる。
【００９９】
第一変形例によれば、第二空間（例えば１６ｍｍの厚さを持つ）を維持するために第二シールが第三及び第二ガラス板の周囲に追加的に置かれ、前記第二中空部は少なくとも一種のガスにより満たされる。このガスは、例えば、空気、アルゴン、窒素、クリプトン、キセノン、ＳＦ６，ＣＯ２、またはいずれかの他の断熱ガスであることができる。
【０１００】
第二変形例によれば、第三及び第二ガラス板は、第二内部空間をタイトに閉じるガラス板の周囲上に置かれたシールによって（真空を確保する）気密態様で組み立てられ、複数のスペーサーが、第三及び第二ガラス板間に挟まれ、これらのガラス板間に第二内部空間を維持する。三重真空板ガラスユニットがかくして得られる。
【０１０１】
他の変形例は、もちろん、特にガラス板を積層されたガラスパネルで置き換えることによって、またはいずれかの他の追加または修正によって考えられる。
【０１０２】
図３に関して、これは、本発明の一実施態様による図１の真空板ガラスユニットを製造するための方法を示す。
【０１０３】
この製造方法は以下の工程を含む：
−  第一及び第二ガラス板５を少なくとも一つのスペーサー８によって一緒に接合すること３０１；
−  内部空間４の周りのガラス板の周囲上に配置された金属周囲シール１（それは金属ストリップと中空金属管１１を含み、その第一端（１１１）が内部空間と連結し、その第二端（１１２）がユニットの外側と連結する）によって（前記ガラス板５間の）内部空間４を閉じること３０２；
−  １ｍｂａｒ未満の真空を得るために内部空間４を真空下に置くこと３０３；
−  いったん真空下に置く工程が完了したら管１１の第二端１１２を封止すること３０４、但し封止は管１１の第二端１１２を挟み付けることによって実行される。
【０１０４】
本発明によれば、閉じる工程３０２は以下の工程を含む：
−  第一接着性被覆５３で覆われた第一ガラス板の第一周囲領域に、及び第二接着性被覆で覆われた第二ガラス板の第二周囲領域に溶接によって金属接合を固定すること。
【０１０５】
この方法はまた、穴１２を形成するためにストリップに穴を開ける工程、穴１２中に金属管１１を挿入する工程、及び好ましくは溶接によって金属管を金属ストリップに固定する工程を含む。
【０１０６】
本発明は、もちろん上述の例示的な実施態様に限定されない。
【図２】
2014531388.tif 000003
【図３】
2014531388.tif 000004
【図１】
2014531388.tif 000005
【国際調査報告】
2014531388.tif 000006
2014531388.tif 000007
2014531388.tif 000008
2014531388.tif 000009